(57)【要約】【課題】センサ等を設けることなく可変入賞装置，遊技媒体払出装置等が不正に操作されたことを常に確実に検出できる不正操作検出装置を提供する。【解決手段】可変入賞装置１，遊技媒体払出装置等を作動させるソレノイド２，モータ等の電磁アクチュエータの電源回路に切換回路８を介してインダクタンス検出回路１０を接続し、該電磁アクチュエータが非作動であるときに該電磁アクチュエータを該インダクタンス検出回路に接続し該電磁アクチュエータのインダクタンスの変動を検出する。【選択図】  図１
2005000535.tif 000002
【特許請求の範囲】
【請求項１】
可変入賞装置，遊技媒体払出装置等を作動させるソレノイド，モータ等の電磁アクチュエータに切換回路を介してインダクタンス検出回路を接続し、該電磁アクチュエータが非作動であるときに該電磁アクチュエータを該インダクタンス検出回路に接続し該電磁アクチュエータのインダクタンスの変動を検出することを特徴とした遊技機の不正操作検出装置。
【請求項２】
可変入賞装置，遊技媒体払出装置等を作動させるソレノイド，モータ等の電磁アクチュエータに設けられマイクロコンピュータからの出力信号に従い切換作動する切換回路と、該切換回路を介して該ソレノイドに交流電流を印加させる発振回路と、該交流電流を印加することにより該電磁アクチュエータのインダクタンスの変動を検出するインダクタンス検出回路とからなることを特徴とした遊技機の不正操作検出装置。
【発明の詳細な説明】
【０００１】
【発明の属する技術分野】
本発明は、パチンコ機，スロットマシン等の遊技機において、不正な操作によって賞球等の遊技媒体を得ようとする行為を検出するための不正操作検出装置に関するものである。
【０００２】
【従来の技術】
パチンコ機等の遊技機において、ピアノ線等を機内に侵入させ、可変入賞装置等を無理に開かせ不正に遊技球を入賞し易くしたり、或いは、賞球払出装置等を無理に作動させ賞球を奪おうとする不正行為を防止するため、従来からこれらの動きをセンサにより監視する不正防止装置が考えられている。下記特許文献１，２は賞球払出装置に上記のような不正操作を検出し得る球排出センサを設けたものである。また下記特許文献３は電磁波を検出するセンサを設けることで、電磁波発信による不正行為を防止しようとするものである。
【０００３】
【特許文献１】
特開平６−７５１１号公報
【特許文献２】
特開２００２−１１３２１７号公報
【特許文献３】
特開２０００−３１７１１７号公報
【０００４】
【発明が解決しようとする課題】
ところで、上記従来の不正防止装置では、可変入賞装置の動きを検出するセンサや排出球を検出するセンサ等、何らかのセンサを設ける必要があった。このためにコストが掛かるとともに、適当な設置スペースが得られないことがあり、さらにはセンサが故障したり故意に破壊される事態に対処できないという問題があった。
そこで本発明はこのような不正操作をさらに確実に検知できる不正操作検出装置を提供しようとするものである。
【０００５】
【課題を解決するための手段】
そのために本発明の不正操作検出装置は、可変入賞装置，遊技媒体払出装置等を作動させるソレノイド，モータ等の電磁アクチュエータに切換回路を介してインダクタンス検出回路を接続し、該電磁アクチュエータが非作動であるときに該電磁アクチュエータを該インダクタンス検出回路に接続し該電磁アクチュエータのインダクタンスの変動を検出することを特徴とする。
また本発明の不正操作検出装置は、可変入賞装置，遊技媒体払出装置等を作動させるソレノイド，モータ等の電磁アクチュエータに設けられマイクロコンピュータからの出力信号に従い切換作動する切換回路と、該切換回路を介して該ソレノイドに交流電流を印加させる発振回路と、該交流電流により該電磁アクチュエータのインダクタンスの変動を検出するインダクタンス検出回路とからなることを特徴とする。
【０００６】
【発明の実施の形態】
次に図面に従い本発明の実施形態を説明する。図１は本発明に係る不正操作検出装置のブロック図で、１はパチンコ機の遊技盤に設けられソレノイド２が励磁することによりプランジャー３がコイルバネ４の弾性に抗して該ソレノイド２に磁力吸引され、作動杆５を可動させて開閉片６を開成させ、遊技盤上を流下する遊技球が入賞し易くなるように構成された周知の可変入賞装置である。７はこのパチンコ遊技機の遊技制御基板に設けられたマイクロコンピュータ、８は該ソレノイド２の電源回路に設けられ該マイクロコンピュータからの出力信号に従い切換作動する切換回路、９は該マイクロコンピュータからの出力信号に従い該切換回路を介して該ソレノイド２に作動用電流を流し該ソレノイドを励磁させるドライバ、１０は該切換回路を介して該ソレノイド２のインダクタンスを検出し得るように設けられたインダクタンス検出回路、１１は該ソレノイド２のインダクタンスを検出ための交流電流（正弦波）を該切換回路８を介して該ソレノイド２に印加するために検出回路１０に設けられた発振回路である。
【０００７】
また、図２はこの不正操作検出装置の電気回路図である。同図に示すように、上記ドライバ９は電界効果トランジスタＦＥＴのゲートにマイクロコンピュータ７の出力端子１２を接続してなる。また、上記切換回路８は、一対のリレーＲＹ１，ＲＹ２と、マイクロコンピュータ７の出力端子１３からの出力信号に従い該リレーを作動させるトランジスタＴＲ１等からなる。また、上記検出回路１０はオペアンプＰ１，ダイオードＤ１，コンパレータＰ２からなる。そして、ソレノイド２の電源回路の両端がリレーＲＹ１，ＲＹ２の切換接点Ｓ１，Ｓ２に夫々接続され、図示した状態では該ソレノイド２の電源回路の一端は切換接点Ｓ１を介して前記ドライバ９の出力段に接続され、該電源回路の他端は切換接点Ｓ２を介して接地されている。そして、リレーＲＹ１，ＲＹ２の各コイルが励磁すると該切換接点Ｓ１，Ｓ２が切り換わり、ソレノイド２の電源回路の一端はオペアンプＰ１の入力段に接続され、他端はその出力段に接続されるようになる。また、コンパレータＰ２はオペアンプＰ１の出力電圧が基準電圧を超えたときその信号をマイクロコンピュータ７の入力端子１４に出力する。
【０００８】
この装置では、マイクロコンピュータ７の出力端子１３の出力電圧が「Ｌ」であるときリレーＲＹ１，ＲＹ２の切換接点Ｓ１，Ｓ２は図示した状態にあり、そのときマイクロコンピュータ７の出力端子１２の出力電圧が「Ｈ」になると電界効果トランジスタＦＥＴがオンし、切換接点Ｓ１，Ｓ２を通してソレノイド２に電源電圧Ｖｃｃが印加されることから該ソレノイドが励磁し、プランジャー３を磁力吸引して開閉片６を開成させる。また、マイクロコンピュータ７の出力端子１２の出力電圧が「Ｌ」になると電界効果トランジスタＦＥＴがオフし、ソレノイド２が消磁しコイルバネ４の弾性によりプランジャー３が元に戻され開閉片６を閉成させる。それと同時にマイクロコンピュータ７の出力端子１３の出力電圧は「Ｈ」に制御され、トランジスタＴＲ１がオンしリレーＲＹ１，ＲＹ２の各コイルが励磁し該切換接点Ｓ１，Ｓ２が切り換わり、ソレノイド２の電源回路の一端はオペアンプＰ１の入力段に他端は出力段に接続され、発振回路１１から出力された交流電流がソレノイド２に流れるようになる。
【０００９】
こうした状況でプランジャー３が何らかの外力によって無理に動かされソレノイド２のインダクタンスが変動すると、そのインダクタンスの変動はオペアンプＰ１によって増幅され、その出力電圧がコンパレータＰ２の基準電圧を超えるとパルス信号がマイクロコンピュータ７の入力端子１４に出力されるようになる。
【００１０】
このため、マイクロコンピュータ７から可変入賞装置１の開閉片６を開成させる信号が出力されていないにも拘わらず、プランジャー３が動いてソレノイド２のインダクタンスが変動すると、ただちに該マイクロコンピュータ７の入力端子１４にその信号が出力される。そこで該マイクロコンピュータ７はそのような異常事態を感知し、その異常発生を音声，ランプ等にて遊技機または集中管理室等に報知する。これによって、ピアノ線等を使用して開閉片６を無理に開かせるような不正操作が確実に感知され、不正行為を未然に防止することができる。
また、このように異常を検出した場合、遊技盤面に設けられた可変入賞装置であれば、例えば遊技球入賞の検出を行うセンサの信号を遮断させれば、アウト球として処理できるので不正球取得を完全に防止することができる。また、賞球払出装置のソレノイドであれば、該賞球払出装置の下方に切換弁を設け、球抜き側に切換制御する等、諸々の処理、或いは報知をすることができる。
【００１１】
このように本発明の不正操作検出装置では、開閉片６の動きを検知するためのセンサ等を付加することなく、可変入賞装置等の異常な動きを検知することができる。このため、センサの取付コストを要しないことは勿論、センサ取付のための適当なスペースがない場合でも対処でき、また、センサが故障、或いは故意に破壊されて、検出装置としての用をなさないようなこともなく、確実に異常を検出することができる。
また、切換回路８を設け、インダクタンス検出中は該ソレノイドに電源電圧が印加されないようにしたことから、インダクタンスの変動を高感度で検出することができる。
【００１２】
なお、この実施形態はパチンコ機の可変入賞装置に設けられたソレノイドについて説明したが、賞球払出装置等を作動させるソレノイド、或いはソレノイドと同じく電磁コイルを励磁することにより作動するステッピングモータ等の電磁アクチュエータにこの不正操作検出装置を設け、不正操作を検出させることもできる。図３はステッピングモータに設けた例を示し、このような回転磁界モータの場合、図示したようにロータＲの周囲に配置された複数の電磁コイルＬ１〜Ｌ４のうちの電磁コイルＬ１を切換回路８を介して検出回路１０に適時接続されるようにし、該電磁コイルＬ１のインダクタンスの変動を検出する。このようにモータの場合、１つの電磁コイルのインダクタンスの変動を検出するだけで該モータが外力により無理に回転され異常が発生したことを検知することが可能である。
【００１３】
また、図４に示した実施形態は、１台のパチンコ機に設けられた複数の電磁アクチュエータの異常をオペアンプとコンパレータとからなる１つのインダクタンス検出回路により検出できるようにする回路図を例示するものである。即ち、この実施形態では、３つの電磁アクチュエータのＣＯＩＬ１〜ＣＯＩＬ３を夫々マイクロコンピュータからの指令により切換作動するリレーＲＹ１〜ＲＹ３に接続し、該各電磁アクチュエータが非作動であるときに該各ＣＯＩＬ１〜ＣＯＩＬ３のインダクタンスの変動が検出されるようにしたものである。なおこの場合、基準電圧はインダクタンスの変動が一番小さい電磁アクチュエータに合わせるのがよい。
【００１４】
また、本発明はパチンコ機のみならずスロットマシン等のその他の遊技機において用いられているソレノイドやモータ等の電磁アクチュエータの異常を検知し、その不正操作を検出することにも適用できる。また、強力な電磁波が浴びせられることによっても電磁アクチュエータのインダクタンスの測定値が変動することから、本発明の不正操作検出装置によれば電磁波発信による不正行為を防止することも可能となる。
【００１５】
【発明の効果】
このように本発明によれば、可変入賞装置，遊技媒体払出装置等を作動させるソレノイド，モータ等の電磁アクチュエータの電源回路に切換回路を介してインダクタンス検出回路を接続し、該電磁アクチュエータが非作動であるときに該電磁アクチュエータを該インダクタンス検出回路に接続し該電磁アクチュエータのインダクタンスの変動を検出するようにしたので、センサ等を設けることなく該電磁アクチュエータの異常な動きが検知され、可変入賞装置，遊技媒体払出装置等が不正に操作されたことを検出することができる。このため、センサの取付コストを要しないことは勿論、センサ取付のための適当なスペースがない場合でも対処でき、また、センサが故障、或いは故意に破壊され検出装置としての用をなさないようなこともなく、常に確実に異常を検出できるなど顕著な効果がある。
【図面の簡単な説明】
【図１】本発明の実施形態を示す遊技機の不正操作検出装置のブロック図。
【図２】本発明の実施形態を示す遊技機の不正操作検出装置の電気回路図。
【図３】本発明の他の実施形態を示す遊技機の不正操作検出装置のブロック図。
【図４】本発明の他の実施形態を示す遊技機の不正操作検出装置の電気回路図。
【符号の説明】
１    可変入賞装置
２    ソレノイド
３    プランジャー
６    開閉片
７    マイクロコンピュータ
８    切換回路
９    ドライバ
１０  インダクタンス検出回路
１１  発振回路
【図１】
2005000535.tif 000003
【図２】
2005000535.tif 000004
【図３】
2005000535.tif 000005
【図４】
2005000535.tif 000006